(57)【要約】  本発明は、柱間その他の開口部を閉じるために使用する可とう性シャッタ３用の案内トラック４に関するものである。シャッタ３の側縁部１は一連の小ブロック２を備え、該小ブロックは、互いに関節結合され、かつ案内トラック４内を移動可能である。本発明によれば、ブロック２は、シャッタ３から突出し、かつ案内トラック４に設けられた長手方向スリット１８を介して案内トラック４から外すことができる。加えて、案内トラック４には進入通路５が設けられ、外れたシャッタ縁部１は、該通路５を介して、前記進入通路５の上方の案内トラック４の部材４ａ内へ再導入可能である。前記案内トラック部材４ａは、導入部７，８を含み、該導入部は、進入通路５の上方に配置され、シャッタ３の移動方向に傾斜した面２１を有する進入口１５を、少なくとも部分的に取り囲み、これによって、対応側縁部１が前記導入部７，８により進入口１５内へスライド可能である。
2008540878.tif 000002
【特許請求の範囲】
【請求項１】
柱間その他の開口部を閉じるのに使用する可とう性のシャッタ（３）用案内トラック（４）であって、該シャッタ（３）が、その側縁部（１）に一連の小ブロック（２）を有し、該小ブロックが、互いに関節結合され、かつ案内トラック（４）内を移動し、しかも、該ブロック（２）が、シャッタ（３）から突出しており、案内トラック（４）の長手方向で一定引張力がシャッタ（３）に加わった場合、案内トラックに設けられた長手スリット（１８）を経て案内トラック（４）から外れることが可能であり、このため、案内トラック（４）には進入通路が設けられ、開位置へのシャッタ（４）の移動時に、シャッタ（３）側縁部（１）が外れた場合、該進入通路を経て、前記進入通路の頂部に位置する案内トラック部材（４ａ）内へ再導入可能である形式のものにおいて、
前記案内トラックの部材（４ａ）が、進入通路（５）上方にかなり剛性の導入部（７，８）を含み、該導入部（７，８）が、スリット（１８）のどちらの側にも延びる、シャッタ移動方向に対し傾斜した面（２１）を形成する進入口（１５）を少なくとも部分的に取り囲み、
該スリットが、前記進入通路（５）の上方に配置された案内トラック（４）の部材（４ａ）のスリット（１８）の延長上に設けられ、
前記傾斜面（２１）が、前記側縁部（１）の運動方向で或る距離にわたって延び、該距離が、シャッタ（３）に固定された前後する２個のブロック（２）の部分（２２）の縁部先端（２´，２´´）間隔（ｄ）より大きく、
前記縁部先端が、前記前後する２個のブロック（２）に最も近いと同時に、シャッタ（３）の側縁部（１）から最も遠くに位置しており、
更に、前記傾斜面（２１）の形状により、対応側縁部（１）が前記進入口（１５）内をスライドして前記導入部（７，８）を通過できるようになっていることを特徴とする、可とう性シャッタ用の案内トラック。
【請求項２】
シャッタ（３）に固定される部分（２２）がほぼ直方体形状を有するブロック（２）の場合、前記傾斜面（２１）が案内トラック（４）の側縁部（１）の移動方向に少なくとも或る距離にわたって延びるように、前記間隔（ｄ）により２個の前後するブロックが隔てられ、前記或る距離が２個の前後するブロック（２）の前記部分（２２）の間隔（ｄ´）より大である、請求項１に記載された案内トラック。
【請求項３】
前記進入通路（５）の側に位置する案内トラック端部と反対側の端部が、前記導入部（７）とかなり類似する導入部（８）を含み、シャッタ（３）が閉位置に移動する場合、該導入部（８）を経てブロック（２）を案内トラック（４）の前記部材（４a）内へ導入できることを特徴とする、請求項１又は請求項２に記載された案内トラック。
【請求項４】
前記導入部（７，８）の進入口（１５）がホッパ形状であることを特徴とする、請求項１から請求項３までのいずれか１項に記載された案内トラック。
【請求項５】
前記進入通路（５）上方に配置された案内トラック（４）の部材（４a）が、両端部各々に導入部（７，８）を有するかなり剛性の直方体形状の部材で形成され、該端部内には、これら導入部（７，８）各々と連通する通路が延び、かつ該通路内をブロック（２）が移動可能であることを特徴とする、請求項１から請求項４までのいずれか１項に記載された案内トラック。
【請求項６】
前記部材（４a）が基部（９）を有し、該基部を介して支持形材（６）に固定されることを特徴とする、請求項５に記載された案内トラック。
【請求項７】
前記支持形材（６）がレールを形成し、該レールを介して前記部材（４a）の基部（９）が案内され、かつ支持形材（６）の適当な位置に固定され得ることを特徴とする、請求項６に記載された案内トラック。
【請求項８】
前記支持形材（６）が、少なくとも、案内トラック（４）の前記部材（４ａ）を移動させねばならない箇所に、互いに対向する縁部（１１）を備えたU形材であり、しかも、前記部材４（ａ）が、その側面（１９，２０）にわたり溝（１２）を有し、該溝が支持形材（６）の縁部（１１）と協働することで、支持形材（６）に対し部材（４ａ）のスライドが可能になることを特徴とする、請求項５から請求項７までのいずれか１項に記載された案内トラック。
【請求項９】
２個の剛性導入部（７，８）間に配置された、前記案内トラック（４）の部材（４ａ´）が、該導入部からは独立しており、比較的低摩擦係数を有する材料製、例えばポリエチレン製であり、かつ案内トラック（４）の他の部材（４ｂ）と多少の差はあれ等しい性質と形状とを有していることを特徴とする、請求項３から請求項８までのいずれか１項に記載された案内トラック。
【請求項１０】
前記導入部（７，８）にシャッタ（３）のために設けられた、スリット（１８）の進入縁部（２３，２４）が、各側で面取りされている、請求項１から請求項９までのいずれか１項に記載された案内トラック。
【請求項１１】
頂部の部材（４ａ）の、進入通路（５）側の端部と反対側の頂部部材端部に配置された前記導入部（８）の進入口（１５）が、導入部（７）の進入口より大きいことを特徴とする、請求項３から請求項１０までのいずれか１項に記載された案内トラック。
【発明の詳細な説明】
【技術分野】
【０００１】
本発明は、柱間その他の開口部を閉じるために使用するフレキシブルなシャッタ用の案内トラックに関するものである。
【背景技術】
【０００２】
前記シャッタは側縁部に一連の小ブロックを有し、該ブロックは互いに関節結合され、案内トラック内を移動する。これらのブロックは、シャッタに固定された部分を成し、シャッタから外方へ突出し、案内トラックの長手方向のシャッタに一定の横方向引張力が加わると直ちに、案内トラックに設けられた長手方向スリットを介して該トラックから外れることがある。案内トラックには進入通路が設けられており、シャッタ側縁部は、外れた場合、この進入通路を介して案内トラックの部材内へ再導入できる。このトラック部材は、シャッタが開位置へ移動した場合、前記進入通路の頂部に位置することになる。
この型の案内トラックの大きな問題は、互いに関節結合された小ブロックで形成されたシャッタ側縁部が、前記進入通路頂部に位置するトラック部材内に進入通路を介して再導入されるさい、前記トラック部材の進入口で動かなくなり、著しく損傷することがある点である。
【発明の開示】
【発明が解決しようとする課題】
【０００３】
本発明の主目的の１つは、この問題に対し、効率的であると同時に極めて簡単な解決策を提供するものであり、この解決策は、この種のシャッタに、シャッタの性質に関わりなく、またシャッタに何ら改変を加えることなしに適用できる。
本発明の別の目的は、進入通路上方の支持形材に案内トラック部材を取り付けるための極めて簡単な取り付け手段を提供することにある。
【課題を解決するための手段】
【０００４】
この目的のために、本発明によれば、進入通路上方に配置された案内トラック部材が、進入通路上方に位置するかなり剛性で変形不能の導入部を含んでいる。前記導入部は、進入通路上方に配置された前記案内トラック部材のスリットの延長上に設けたスリットを有し、かつ該スリットのどちらの側にも延びているシャッタの運動方向に対し傾斜面を形成する進入口を部分的に取り囲んでいる。この傾斜面は、前記側縁部の運動方向に或る距離にわたって延びているが、この距離は、前後する２ブロックの、シャッタに固定された部分の先端間隔より大であり、これらの先端は、前後する前記２ブロックに最も近いと同時に、シャッタ側縁部から最も遠い位置にあり、また前記傾斜面の形状は、対応側縁部が前記導入部を通って前記進入口内へスライドできるような形状である。
【０００５】
本発明の一好適実施例によれば、進入通路の次に位置する案内トラック部材端部と反対側の案内トラック部材端部は、閉位置へのシャッタ移動時に案内トラックの前記部材内へ側縁部の導入を可能にする既述の導入部によく似た導入部を含んでいる。
本発明の特に好適な一実施例によれば、導入部の進入口は、ホッパ形状を有している。
本発明の第１好適実施例によれば、前記進入通路上方に配置された案内トラック部材は、かなり剛性で平行６面体の直線的な部材で形成され、該平行６面体が、離れた両端部に導入部を有し、端部内には、これらの部材の各々と連通する通路が延び、これにより、シャッタに固定されたブロックが該通路内を移動することができる。
【０００６】
本発明の第２好適実施例によれば、２個の剛性導入部間に位置する案内トラック部材は、導入部からは独立しており、比較的摩擦係数の低い材料製、例えばポリエチレン製であり、案内トラックの他の部分と多少の差はあれ等しい性質及び形状を有している。
本発明のこのほかの細部及び特徴は、添付図面を参照して幾つかの実施例について行う以下の説明により明らかになろう。以下の説明は、単に実例について行うもので、本発明を制限するものではない。
図面では、等しい部材又は類似の部材には等しい符号が付されている。
【０００７】
大体のところ、本発明は、案内トラック、それも互いに関節結合されシャッタ側縁部に固定された一連の小ブロックのための案内トラックに関するものである。これらのブロックは、概して、前記側縁部に約０．１‐５ｍｍの一定間隔をおいて相互に固定されている。
ブロックは、シャッタ側縁部の長手方向で互いにヒンジ式に十分に動けるだけの最小間隔を有しているのが好ましい。この最小間隔は、好ましくは、一連の球形ブロックで形成される側縁によって達成できる。
予防措置を講じないと、前記ブロックを案内トラック部材に設けた進入通路を介して該通路上方に配置した案内トラック部材内へ導入する場合、前記ブロックは、前記案内トラック部材の進入口の縁部で動かなくなることがある。
これらの予防措置は、本発明によれば、前後する２個のブロック間を前記進入口の縁部が貫通しないように防止する手段を、前記進入口のところに設けることにある。
【０００８】
これらの手段は、前記進入口のところに設けた連続的な面を含み、該連続的な面が、シャッタ側縁部の移動方向に対して傾斜し、かつ前記案内トラック部材に設けたスリットのどちらの側にも位置している。前記進入口は、前記案内トラック部材から分離されている導入部にも、分離されていない導入部にも設けられている。
前記連続的な面は、シャッタ移動方向に或る距離にわたり延び、この距離は、前後する２ブロックの、シャッタに固定された部分の先端間隔より大である。該先端は、前記前後する２ブロックに最も近いと同時に、シャッタ側縁部から最も遠い位置にある。こうすることで、シャッタ側縁部は、かなり連続的に導入部の進入口内へスライドすることができる。
【実施例１】
【０００９】
図１に示した側縁部１は、シャッタ３に固定されたジッパーの一連のブロック２と、進入通路５を備えた案内トラック４とを含んでいる。この案内トラックは、共通の支持形材６に取り付けられた２部材４ａ，４ｂで形成され、前記進入通路５によって互いに隔てられている。
進入通路５の上方に配置された部材４ａは、図２の詳細図に示すように、平行６面体の部材で形成されている。前記部材４ａの離れた両端部の各々には、この実施例の場合、部材４ａと共に全体を形成する導入部７，８が備えられている。
図１及び図２には示されていない通路が、部材４ａの全長にわたって延び、導入部７，８の各々と連通している。
部材４ａの外側１７には、部材４ａの側面１９，２０と平行な、前記通路に通じるスリット１８が部材４ａの全長にわたって延在している。
【００１０】
前記スリット１８は、図２には示されていないシャッタの通路用に設計され、ブロック２を有するシャッタ側縁部は、２つの導入部７，８間のこの通路内を移動する。
部材４ａは基部９を含み、この基部を介して、部材４ａは支持形材６に１個以上数個のねじ１０により固定されている。
好ましくは、支持形材６はレールを形成し、該レールを介して基部９は該形材に沿って要求位置へスライド可能である。
この目的のために、支持形材６は、少なくとも部材４ａが移動する区間に、互いに向き合った縁部１１を有するＵ字形断面を有している。前記部材４ａは、基部９と側面１９，２０との間に、縁部１１と協働する溝１２を備えている。
【実施例２】
【００１１】
図３に示した実施例は、図１及び図２に示した実施例とは、導入部７，８間の案内トラックの部材４ａ´が、比較的低摩擦係数の材料、例えばポリエチレンで作られ、案内トラックの部材４ｂと等しい形状を有する点が異なっている。
この形状は、自体公知であり、本発明の対象ではないので、これ以上詳しい説明は不要だろう。
この実施例では、導入部７，８は、案内トラック４の部材４a´が間に取り付けられ、該部材から完全に独立している。双方の導入部は、十分に厚みのある剛性材料製、例えば鋼製壁部を有し、したがって変形不可能である。
【００１２】
この導入部７，８は図４及び図５に示されている。導入部７，８は、長方形底部を有する直方体（直角柱）の形状を有し、その両端１３，１４は、各々、球形キャップ形状の凹部１５で形成された進入口を有している。凹部の底部には、２つの凹部１５の間に延びる中央開口１６が設けられ、該開口をへてシャッタ３の側縁部１が導入部７，８を通過することができる。
基部９は角柱の底部を形成し、他方、外側１７には、底部の反対側にシャッタ（ここには図示せず）の通過用スリット１８が設けられている。
本発明によれば、凹部１５内には、スリット１８の両側に面２１が延び、この面２１が、前後する２個のブロック２の間隔より大きい幅にわたり開口１６のほうへ傾斜しており、シャッタ３に固定されたブロック部分２２は、直方体の形状を有している。
【００１３】
このことは図５に明示されており、該ブロック２が凹部１５内を傾斜面２１に沿って開口１６内へ入る様子が、図５から分かる。
傾斜面２１の傾斜は、該傾斜面が前端１３と鈍角をなすように形成され、該鈍角が十分に大きくされることで、ブロック２が、前端１３から傾斜面を分けている縁部に打ち当たることなく傾斜面２１と直接接触することが保証されている。
シャッタ３が、スリット１８内への進入時に損傷しないようにするために、スリットの２つの進入縁部２３，２４は面取りされている。
等しい導入部７，８を部材４a´の両端各々に使用可能にするために、該導入部は、スリット１８と直角の対称中心平面を有している。
【実施例３】
【００１４】
図６には、部材４ａの従断面が略示されているが、この部材４ａは、既述の実施例、すなわち図１及び図２に示した実施例とは、導入部が単純に案内トラック４ａの壁縁部２６で形成され、該壁縁部がスリット１８のどちらの側でも内側へ向って丸みが付けられている点が異なっている。この壁縁部２６は、十分に厚くされて、前後する２個のブロック２の、シャッタ側縁部１に沿った間隔より大きい幅の傾斜面２１を形成している。ブロック２の、シャッタ３に固定された部分２２は、直方体（直角柱）形状を有している。
【実施例４】
【００１５】
図７には、前後する２個のブロック２の、シャッタ３に固定された部分２２と、シャッタ３の縁部１から外方へ突出した他の部分２２´とが略示されている。部分２２は台形形状を有している。
この実施例では、部分２２の、シャッタ側縁部１とは反対側の面２５が、シャッタ３に対し横方向に延びる２つの縁部２´、２´´を有し、該縁部の特徴は、縁部先端がシャッタ３の側縁部１から最も遠いところに位置している点、言い換えると、縁部先端が、一方ではシャッタ３の側縁部１から距離ｅのところに、他方では前後する２個のブロックに最も近いところに位置している点、つまり、一方のブロックの縁部２´の先端が、縁部２´の側に位置する隣接ブロック縁部２´´の先端に最も近い位置にある点である。これらの２つの縁部２´，２´´の間隔は、図７に符号ｄで示されている一方、シャッタ３の側縁部１から上方の２個の隣接ブロックの間隔は、符号ｄ´で示されている。
【００１６】
このように、本発明により、導入部７，８の進入口１５に設けられた傾斜面２１は、ブロック２の運動方向に或る距離にわたって延び、この距離は、前後する２個のブロックの互いに最も近い先端間隔ｄより大であり、これにより、導入部７，８の進入口底部の、開口１６に近い壁縁部が、前後する２個のブロック間に突入することが防止される。
【実施例５】
【００１７】
図８に示した実施例は、図７の実施例とは、ブロック２が直方体形状を有している点で異なっている。
この実施例の場合、縁部２´、２´´の先端間隔ｄは、前後する２個のブロック間の、シャッタ３の側縁部１の距離にほぼ等しい。
いうまでもなく、本発明は既述の実施例に限定されるものではなく、他の変化形も本発明の範囲を逸脱することなしに可能である。
したがって、案内トラック４の部材４ａの下端は、事実上、部材４ｂの頂縁に当接していてもよい。シャッタ側縁部が部材４ａに係合すると、部材４ｂのスリット８が部材４ａ近くで自動的に開くことで、前記部材４ａにシャッタ３の側縁部１が係合できる。その場合、既述の進入通路５は、多少の差はあれ、変形可能な弾性材料で作られた部材４ｂのスリット１８の上端部で形成される。
【００１８】
更に、ブロック２は、シャッタ３の側縁部１から突出する部分２２´を備える必要はない。
好ましくは、進入通路５に向いた側とは反対側の部材４ａ端部のところに位置する導入部進入口１５は、導入部７の進入口より大きい。このことは、シャッタが繰り出されるにつれて、案内トラックの部材４ａにシャッタ側縁部が係合する場合に重要である。事実、シャッタ側縁部は、この繰り出し時には、かなりの横方向変位にさらされる。
【図面の簡単な説明】
【００１９】
【図１】本発明の第１実施例の略示部分側面図。（実施例１）
【図２】前記第１実施例の部分分解図。
【図３】第２実施例の、図２同様の分解図。（実施例２）
【図４】案内トラックの主要部分の拡大斜視図。
【図５】図４のＶ−Ｖ線に沿って截断した断面図。
【図６】本発明の更に別の実施例の略示縦断面図。（実施例３）
【図７】一実施例によりシャッタに固定された前後する２個のブロックの略示詳細側面図。（実施例４）
【図８】シャッタに固定された前後する２個のブロックの別の実施例を示す図７同様の図。（実施例５）
【符号の説明】
【００２０】
１  シャッタ側縁部
２  ブロック
２´，２´´  シャッタに対し横方向に延びるブロック縁部
３  シャッタ
４  案内トラック
４ａ  案内トラックの部材
４ｂ  案内トラックの部材
５  進入通路
６  支持形材
７，８  導入部
９  基部
１０  ねじ
１１  支持部材の縁部
１２  縁部１１と協働する溝
１３，１４  導入部の端部
１５  凹部、進入口
１６  中央開口
１７  部材４ａの外側
１８  スリット
１９，２０  部材４ａの側面
２１  傾斜面
２２  シャッタに固定されたブロック部分
２２´  シャッタ縁部から突出したブロック部分
２３，２４  スリットの進入縁部
【図１】
2008540878.tif 000003
【図２】
2008540878.tif 000004
【図３】
2008540878.tif 000005
【図４】
2008540878.tif 000006
【図５】
2008540878.tif 000007
【図６】
2008540878.tif 000008
【図７】
2008540878.tif 000009
【図８】
2008540878.tif 000010
【国際調査報告】
2008540878.tif 000011
2008540878.tif 000012
2008540878.tif 000013
2008540878.tif 000014